(57)【要約】【課題】衝撃を受けた時、サブＬＣＤの荷重がメインＬＣＤに加えられることを抑え、メインＬＣＤの変形を抑えることのできる移動通信端末用デュアル型ＬＣＤモジュールを提供する。【解決手段】移動通信端末用デュアル型ＬＣＤモジュールは、メインＬＣＤとサブＬＣＤとが一定間隔をおいて分離された状態で積層され、その間にメインＬＣＤを覆って保護すると同時にサブＬＣＤを支持するブラケットが配置され、ブラケットには、サブＬＣＤの下面の縁部を収容する支持リブが設けられている。【選択図】   図３
2006227627.tif 000002
【特許請求の範囲】
【請求項１】
メインＬＣＤとサブＬＣＤとが上下に積層配置されている移動通信端末用デュアル型ＬＣＤモジュールにおいて、
前記メインＬＣＤとサブＬＣＤとが一定間隔で離間して配置され、その間に前記メインＬＣＤを覆って保護すると同時に前記サブＬＣＤを支持するブラケットが配置されたことを特徴とする移動通信端末用デュアル型ＬＣＤモジュール。
【請求項２】
前記ブラケットは、前記サブＬＣＤを露出させるための貫通孔を備え、前記貫通孔の内面には前記サブＬＣＤの下面の縁部を収容する支持リブを備えていることを特徴とする請求項１に記載の移動通信端末用デュアル型ＬＣＤモジュール。
【請求項３】
前記貫通孔は長方形であり、前記支持リブは前記長方貫通孔の向かい合う面にそれぞれ設けられていることを特徴とする請求項２に記載の移動通信端末用デュアル型ＬＣＤモジュール。
【請求項４】
前記貫通孔は長方形であり、前記支持リブは前記長方貫通孔の内面全体にそれぞれ設けられていることを特徴とする請求項２に記載の移動通信端末用デュアル型ＬＣＤモジュール。
【請求項５】
前記支持リブは前記ブラケットに一体形成されたことを特徴とする請求項３または４に記載の移動通信端末用デュアル型ＬＣＤモジュール。
【発明の詳細な説明】
【技術分野】
【０００１】
本発明は、ディスプレー装置の１つであるＬＣＤモジュールに関し、詳細には移動通信端末用デュアル型ＬＣＤモジュールに関する。
【背景技術】
【０００２】
周知のとおりに、フォルダ型移動通信端末は、通話待機モードにおいてフォルダの内側に設けられたメインＬＣＤを確認できないという短所を補完するために、フォルダ外部へ別のサブＬＣＤを取り付けたデュアル型ＬＣＤモジュールを採用している。
図１は一般のデュアル型ＬＣＤモジュールを採用したフォルダ型移動通信端末を示す斜視図である。同図に示すように、移動通信端末は、本体１０と、本体１０に回動自在に連結されたフォルダ２０と、フォルダ２０に設けられるＬＣＤモジュール３０と、本体１０に設けられ多数のキーボタンを備えたキーパッド４０などを備えてなる。なお、ＬＣＤモジュール３０は、フォルダ２０の外側面に設けられるサブＬＣＤであり、図示されていないが、フォルダ２０の内側面にメインＬＣＤが設けられている。
【０００３】
図２は、従来のデュアル型ＬＣＤモジュールを概略的に示す部分断面図である。図示された通りに、デュアル型ＬＣＤモジュール３０はフォルダのフロントカバー（ｆｒｏｎｔ  ｃｏｖｅｒ）２１とリアカバー（ｒｅａｒ  ｃｏｖｅｒ）２３との間に設けられ、メインＬＣＤ３１、サブＬＣＤ３３，ブラケット３５とを備える。
メインＬＣＤ３１上にサブＬＣＤ３３が積層され、ブラケット３５はメインＬＣＤ３１を覆って保護するよう配置されている。また、ブラケット３５にはサブＬＣＤ３３を露出するための長方形貫通孔３５ａが形成されている。また、ＬＣＤ３１，３３と対応するカバー２１，２３にはウィンドウ２１ａ、２３ａがそれぞれ設けられている。
【０００４】
なお、ブラケット３５は、端末の使用中に落としたり踏まれたりするなど、端末に衝撃が加えられた際に、メインＬＣＤ３１を保護することによってメインＬＣＤ３１が割れてしまう現象を防ぐために設けられている。
しかし、従来のデュアル型ＬＣＤモジュールは、そのようなブラケット３５を備えているにもかかわらず、サブＬＣＤ３３がメインＬＣＤ３１に支持された構造になっていることから、端末の落下時にサブＬＣＤ３３が荷重として作用してメインＬＣＤ３１の変形を誘発してしまう問題を抱えている。
【特許文献１】特開平１６−０２１２３８号公報
【特許文献２】韓国特許出願公開２００２−０３５２９４号公報
【発明の開示】
【発明が解決しようとする課題】
【０００５】
本発明は前述した問題点を解決するために案出されたもので、本発明の目的は、衝撃時にサブＬＣＤの荷重がメインＬＣＤに加わらないことから、メインＬＣＤの変形を防止することのできる移動通信端末用デュアル型ＬＣＤモジュールを提供することにある。
【課題を解決するための手段】
【０００６】
前述の目的を達成するための本発明による移動通信端末用デュアル型ＬＣＤモジュールは、メインＬＣＤとサブＬＣＤとが一定間隔をおいて上下に積層配置され、その間に前記メインＬＣＤを覆って保護すると同時に前記サブＬＣＤを支持するブラケットが配置されたことを特徴とする。
前記ブラケットは、前記サブＬＣＤを露出させるための貫通孔を備え、前記貫通孔の内面には前記サブＬＣＤの下面の縁部を収容する支持リブを備えている。
【０００７】
前記貫通孔は長方形であり、前記支持リブは前記長方貫通孔の向かい合う面に、あるいは内面全体にそれぞれ設けることができる。
そして、前記支持リブは別に製造され、前記貫通孔の内面に取り付けられる例と、前記ブラケットに一体形成される例など、変形実施が可能である。
【発明の効果】
【０００８】
本発明によると、サブＬＣＤがメインＬＣＤに支持されず、ブラケットに支持されていることから、衝撃を受けた時サブＬＣＤの荷重がブラケットを通してフォルダ全体に分散される。即ち、メインＬＣＤの変形を誘発する荷重として作用しないことである。従って、メインＬＣＤをより安全に保護できる。
【発明を実施するための最良の形態】
【０００９】
以下、添付の図面に基づいて本発明の好適な実施形態を詳述する。
【実施例】
【００１０】
添付の図３は本発明の一実施の形態に係る移動通信端末用デュアル型ＬＣＤモジュールを概略的に示す部分断面図であり、図４は図３に示すデュアル型ＬＣＤモジュールの要部分解斜視図である。
図示するように、本発明の一実施の形態に係る移動通信端末用デュアル型ＬＣＤモジュール１００は、メインＬＣＤ１１０、サブＬＣＤ１２０、メインＬＣＤ１１０を覆って保護すると同時にサブＬＣＤ１２０を支えるブラケット１３０を備えている。
【００１１】
メインＬＣＤ１１０とサブＬＣＤ１２０は一般のものと同様上下に積層されるが、その相違点は各ＬＣＤ１１０，１２０が一定の間隔（ｄ）をおいて分離された状態で配置され、その間にブラケット１３０がサブＬＣＤ１２０を支持すべく配置されている点である。
係るＬＣＤモジュール１００は、フロントカバー１４１とリアカバー１４３との間に設けられ、フロントカバー１４１およびリアカバー１４３はフォルダ型移動通信端末のフォルダである。フロントカバー１４１およびリアカバー１４３にウィンドウ１４１ａ、１４３ａがそれぞれ設けられる。
【００１２】
一方、ブラケット１３０は、サブＬＣＤ１２０を露出させるための貫通孔１３１を備える。貫通孔１３１の内面にはサブＬＣＤ１２０の下面の縁部を収容する支持リブ１３２、１３２'が設けられる。
図示例においては、ＬＣＤ１１０、１２０が長方形であることを想定して長方形貫通孔１３１を備えるＬＣＤモジュールについて図示しているが、貫通孔１３１はＬＣＤの形状に応じて様々な形状で形成され得る。
【００１３】
長方形の貫通孔１３１を備える場合、支持リブ１３２、１３２'は図示されたように、貫通孔１３１の向かい合う面に形成されるか、あるいは、図示されていないが貫通孔１３１の内面全体に形成される。
また、支持リブ１３２、１３２'は別体で作成され該当部分に取り付けることができ、また、ブラケット１３０の製造時にブラケットと一体に形成することも可能である。
【００１４】
このような本発明による移動通信端末用デュアル型ＬＣＤモジュール１００は、メインＬＣＤ１１０上にブラケット１３０を配置し、このブラケット１３０の支持リブ１３２、１３２'にサブＬＣＤ１２０を乗せて支持させる。
このように組み付けられたＬＣＤモジュール１００の上部にはフロントカバー１４１が組立てられ、下部にはリアカバー１４３が組立てられて、移動通信端末用フォルダが組み付けられる。
【００１５】
即ち、一般のデュアル型ＬＣＤモジュールとは異なり、本発明のデュアル型ＬＣＤモジュールは、サブＬＣＤ１２０がブラケット１３０に支持された状態で組み付けられる。従って、従来のサブＬＣＤがメインＬＣＤに支持されることによって衝撃を受ける際サブＬＣＤの荷重がそのままメインＬＣＤに加えられメインＬＣＤが変形してしまう問題を解消できる。
【００１６】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００１７】
【図１】一般のデュアル型ＬＣＤモジュールが採用された移動通信端末の斜視図である。
【図２】図１の移動通信端末に採用されたデュアル型ＬＣＤモジュールを概略的に示す部分断面図である。
【図３】本発明の一実施の形態に係る移動通信端末用デュアル型ＬＣＤモジュールを概略的に示す部分断面図である。
【図４】図３に示すデュアル型ＬＣＤモジュールの腰部分解斜視図である。
【符号の説明】
【００１８】
１００      デュアル型ＬＣＤモジュール
１１０      メインＬＣＤ
１２０      サブＬＣＤ
１３０      ブラケット
１３１      貫通孔
１３２，１３２'      支持リブ
１４１      フロントカバー
１４３      リアカバー
【図１】
2006227627.tif 000003
【図２】
2006227627.tif 000004
【図３】
2006227627.tif 000005
【図４】
2006227627.tif 000006